(57)【要約】 【課題】国際柔道連盟による柔道衣サイズの規程に当てはまるか否かを迅速かつ正確に測定できる柔道衣サイズ規程測定器を提供すること。【解決手段】板状あって、両端部から所定長さそれぞれ幅狭く形成されているとともに、中央部が幅広に形成され下部部材１４と、前記下部部材の上辺部に密接配置され、左右に渡って竹の縦割り状に中央部が凹状に形成された上部部材１２とを備え、下部部材の一方の幅狭部は一部屈曲部を有し、先端から所定位置に人の手首の豆状骨又は足の踝に嵌合する基準穴を有するとともに、該基準穴の中心部から所定の長さの目盛を有するとともに、下部部材の他方の幅狭部の先端には、隙間の幅が１ｃｍほど、その深さが５ｃｍほどのスリットが形成された襟部測定部１６と、隙間の幅が０．５ｃｍほどで深さ１０ｃｍほどのスリットが形成されたパンツ幅測定部１８とを備えた。【選択図】図１
0003139604.tif 000002
【実用新案登録請求の範囲】
【請求項１】
板状あって、両端部から所定長さそれぞれ幅狭く形成されているとともに、中央部が幅広に形成され長さ４０〜６０ｃｍの下部部材と、
前記下部部材の上辺部に密接配置され、左右に渡って竹の縦割り状に中央部が凹状に形成された上部部材とを備え、
前記下部部材の一方の幅狭部は一部屈曲部を有し、先端から所定位置に人の手首の豆状骨又は足の踝に嵌合する基準穴を有するとともに、該基準穴の中心部から所定の長さの目盛を有するとともに、前記下部部材の他方の幅狭部の先端には、隙間の幅が１ｃｍほど、その深さが５ｃｍほどのスリットが形成された襟部測定部と、隙間の幅が０．５ｃｍほどで深さ１０ｃｍほどのスリットが形成されたパンツ幅測定部とを有し、
前記上部部材の凹部底面から前記下部部材の底辺までの幅を１０〜１３ｃｍとし、上部部材の奥行きを５〜８ｃｍとしたことを特徴とする柔道衣サイズ規程測定器。
【請求項２】
前記上部部材、下部部材、襟部測定部及びズボン幅測定部はともに厚さ１ｃｍほどのプラスチックで形成され、かつ射出成形により一体成型されたものであることを特徴とする請求項１記載の柔道衣サイズ規程測定器。
【考案の詳細な説明】
【技術分野】
【０００１】
本考案は、国際柔道連盟試合審判規程第３条服装規程（ｄ），（ｅ）に基づき、着用した柔道衣がこれら規程に適合するか否かを測定するための柔道衣サイズ規程測定器に関するものである。
【背景技術】
【０００２】
近年、柔道は我が国は基より欧州を初め世界各地で行われるようになり、オリンピックの正式種目として認定されている。従来から、柔道を行う場合、競技者は特有の柔道衣を着用する。競技者は相手に技を掛けるため、相手の柔道衣の襟や袖を掴み引いたり押したりするので、破損を防止するため柔道衣は刺し子地を多用した頑丈なものとしている。
【０００３】
柔道の国際化に伴い、従来から我が国では一般に行われている相手の柔道衣を掴んで組み合うという方法よりも、如何にして相手に柔道衣を掴まれないようにするかを考慮して、襟幅を広くしたり厚くして掴みにくくしたり、袖口を狭くして掴みにくくしたりする傾向があり、柔道試合の面白さを減らすことが懸念されていた。
【０００４】
そこで、国際柔道連盟では、国際大会での柔道衣のサイズ規程をたびたび変更し、上記国際柔道連盟試合審判規程第３条服装規程（ｄ），（ｅ）では、柔道衣の袖の長さは、図３に示すように、手を伸ばした状態で手首の豆状骨Ａの中心から袖口までの距離Ｐ１が５ｃｍ以下であること、また図４に示すように、襟幅Ｐ２が５ｃｍ以内であり厚さは１ｃｍ以内であること、また図５に示すように、袖口の大きさは、腕に沿わせて下部を抓んだ状態で抓み代Ｐ３が１０ｃｍ以上あること、さらに図６に示すように、柔道衣パンツについても、パンツの裾口から足の踝までの距離Ｐ４が５ｃｍ以内でかつ、ふくらはぎと太もものところの抓み代が１０ｃｍ以上必要となっている。
【０００５】
そして、試合に際し、審判員が各競技者の柔道衣を測定し、規程に収まるものを合格としている。測定方法は、例えば袖の長さの場合、図３に示すように、手を伸ばした状態で、手首の豆状骨Ａの中心から袖口までの距離Ｐ１を特許文献１に開示されているようなテープ巻き尺や、特許文献２に開示されているような物差しで測り、襟幅Ｐ２も同様に測り、厚さはピンセット状のもので挟んで測っていた。また、袖口の余裕部Ｐ３は手で押さえ抓み代を作り、長さを上記のようなメジャーで測るのが一般的であった。柔道衣パンツの場合も同様にして測っていた。
【０００６】
【特許文献１】実開平７−４１４０１号公報
【特許文献２】特開平８−１４５６０１号公報
【考案の開示】
【考案が解決しようとする課題】
【０００７】
上記従来の方法による測定では、袖の長さを測る場合には、審判員が手で競技者の手首の豆状骨を探り、そこから袖までの長さを測ったり、パンツの裾丈の場合も同様にして測るという煩わしさがあり、襟幅の場合も掴みにくくするため、一部を意図的に厚くしていてもわかりにくく、また、袖口の余裕部の場合も正確に測りにくいという点があった。
【０００８】
本考案の課題は、上記課題を解決するため、国際柔道連盟による柔道衣サイズの規程に当てはまるか否かを迅速かつ正確に測定できる柔道衣サイズ規程測定器を提供することにある。
【課題を解決するための手段】
【０００９】
本考案は、上記目的を達成するために、次の技術的手段を講じている。
即ち、請求項１記載の柔道衣サイズ規程測定器は、板状あって、両端部から所定長さそれぞれ幅狭く形成されているとともに、中央部が幅広に形成され長さ４０〜６０ｃｍの下部部材と、前記下部部材の上辺部に密接配置され、左右に渡って竹の縦割り状に中央部が凹状に形成された上部部材とを備え、前記下部部材の一方の幅狭部は一部屈曲部を有し、先端から所定位置に人の手首の豆状骨又は足の踝に嵌合する基準穴を有するとともに、該基準穴の中心部から所定の長さの目盛を有するとともに、前記下部部材の他方の幅狭部の先端には、隙間の幅が１ｃｍほど、その深さが５ｃｍほどのスリットが形成された襟部測定部と、隙間の幅が０．５ｃｍほどで深さ１０ｃｍほどのスリットが形成されたパンツ幅測定部とを有し、前記上部部材の凹部底面から前記下部部材の底辺までの幅を１０〜１３ｃｍとし、上部部材の奥行きを５〜８ｃｍとしたことを特徴としている。
【００１０】
請求項２記載の柔道衣サイズ規程測定器は、請求項１記載の考案において、前記上部部材、下部部材及び襟部測定部及びズボン幅測定部はともに厚さ１ｃｍほどのプラスチックで形成され、かつ射出成形により一体成型されたものであることを特徴としている。
【考案の効果】
【００１１】
請求項１記載の柔道衣サイズ規程測定器によれば、この物品を柔道衣を着用した競技者の袖口から上部部材の凹みを腕に沿わせて差し込むと、柔道衣の袖口の寸法が国際柔道連盟で規程した寸法以上であれば、下部部材が袖口に引っかからずスムースに入っていくため規程サイズに合格となる。逆に、下部部材の中央部の幅広部が引っかかって入らない場合は、袖口が狭く規程サイズに適合しないことになる。このように、この測定器を用いれば、柔道衣が国際柔道連盟の定めた規程サイズに適合するか否か簡単に判別することができる。
【００１２】
また、競技者が手を前方に伸ばした状態で、この柔道衣サイズ規程測定器を袖口から差し込み、下部部材に設けられた基準穴を競技者の手首の豆状骨に嵌合させ、豆状骨の位置から袖口までの距離を目盛で読み取ると、その距離が５ｃｍ以下であれば袖の長さは規程サイズに入り合格となり、５ｃｍを越える場合は不合格となる。これらの測定により、規程サイズに合わない場合には、その柔道衣を他の柔道衣に換える必要が生じる。
【００１３】
さらに、柔道衣上着の襟部の場合は、下部部材の他方の先端に設けられた襟部測定部の隙間を競技者の柔道衣の襟に嵌め込んでみて、嵌め込めなければ襟が１ｃｍ以上あり厚すぎて規程サイズに適合しないことがわかる。また、嵌め込めても、上下にスライドさせてみて、引っかかって動かないところがあれば、厚すぎる部分があるので適合しないことがわかる。さらに、襟部測定部のコ字状の隙間の奥行きが５ｃｍほどなので、襟の縁を隙間の奥に当てて襟の他の縁がコ字状の先端よりはみ出しているときは、襟幅が広すぎることになり規程サイズの適合しないことが簡単に判別する。
【００１４】
また、柔道衣パンツが規程値に入っているか否かの計測は、パンツのふくらはぎ及び太ももの余裕規程については、その部分を抓んで、柔道衣サイズ規程測定器の下部部材の他の先端に設けられた深さほぼ１０ｃｍのスリットに通し、スリットの奥まで達しないときには規程に合格していないとする。また、パンツの裾の長さは、下部部材に設けられた基準穴を競技者の足首の踝に嵌合させ、踝の位置から裾口までの距離を目盛で読み取ると、その距離が５ｃｍ以下であればパンツの長さは規程サイズに入り合格となり、５ｃｍを越える場合は不合格となる。
【００１５】
また、請求項２記載の柔道衣サイズ規程測定器によれば、厚いプラスチックでかつ一体成型されているので、頑丈で落下させたぐらいでは破損せず、また汗などにより腐食することがないため、扱いやすいという利点がある。
【考案を実施するための最良の形態】
【００１６】
以下、本考案に係る柔道衣サイズ規程測定器の実施形態を図面を参照して説明する。
柔道衣サイズ規程測定器１を図１（ａ）、（ｂ）、（ｃ）に示す。なお、（ａ）は正面図、（ｂ）は平面図、（ｃ）は（ａ）のＡ−Ａ線端面図である。
図に示すように、柔道衣サイズ規程測定器１０は、上部部材１２と下部部材１４とで構成されている。
下部部材１４は、板状あって、両端部から所定長さそれぞれ幅狭く形成されているとともに、中央部が幅広に形成され長さ４０〜６０ｃｍの長さに形成されており、上部部材１２は下部部材１４の上辺部に密接配置され、左右に渡って竹の縦割り状に中央部が凹状に形成されたものである。
前記下部部材１４の一方の幅狭部は二個所に「く」の字状に曲がった屈曲部１４ａ、１４ｂを有し、先端から所定位置に人の手首の豆状骨又は足の踝に嵌合する基準穴１４ｃを有するとともに、該基準穴の中心部から５ｃｍｍのところに目印のための目盛が記入されている。
また、前記下部部材１４の他方の幅狭部の先端には、隙間の幅が１ｃｍほど、その深さが５ｃｍほどのスリットが形成された襟部測定部１６と、隙間の幅が０．５ｃｍほどで深さ１０ｃｍほどのスリットが形成されたパンツ幅測定部１８とを有している。
なお、前記上部部材１２の凹部底面から前記下部部材１４の底辺までの幅（高さ）を１０〜１３ｃｍとし、上部部材１２の奥行きを５〜８ｃｍに構成している。
【００１７】
この柔道衣サイズ規程測定器１０は、ＡＢＳ樹脂などのプラスチック材からなり射出成形により一体形成されたものであって、上部部材１２の形状は平面視小判型に形成されており、奥行きＤ＝５〜８ｃｍほどで、左右に渡って竹の縦割り状に中央部が凹状に形成され人の腕の形状に沿うように形に構成されている。また、上部部材１２の下面には厚さｄ＝１ｃｍほどの板状あって、両端部から所定長さそれぞれ幅狭に形成されるとともに、中央部が幅広に形成された長さＬ＝４０〜６０ｃｍのものである。また、前記幅狭部の先端部近傍に人の手首の豆状骨Ａ（図３参照）又は足首の踝（図６参照）に嵌合する直径２ｃｍほどの基準穴１４ｃを有するとともに、該基準穴１４ｃの中心部からＰ＝５ｃｍのところに目印となる目盛が記入されている。そして、前記上部部材１２の凹部底面から前記下部部材１４の底面との幅Ｈは１０〜１３ｃｍの間で適宜形成されている。
【００１８】
次に、上記柔道衣サイズ規程測定器の使用法について説明する。
先ず、柔道衣の袖が規程値に適合するか否かの測定は、この柔道衣サイズ規程測定器１０を競技者が着用している柔道衣の袖口から、上部部材１２の凹みを腕に沿わせて差し込むと、柔道衣の袖口の寸法が国際柔道連盟で規程した寸法以上であれば、図２の断面図に示すように、下部部材１４が袖口に引っかからずスムースに入っていくため規程サイズに合格となる。反対に、下部部材１４の中央部の幅広部が引っかかって入らない場合は、袖口が狭く規程サイズに適合しないことになる。
また、競技者が手を前方に伸ばした状態で、この柔道衣サイズ規程測定器１０を袖口から差し込み（袖の上からでも良いが）、下部部材１４に設けられた基準穴１４ｃを競技者の手首の豆状骨Ａに嵌合させ、豆状骨Ａの位置から袖口までの距離を目盛で読み取る。その距離が５ｃｍ以下であれば袖の長さは規程サイズに入り合格となり、５ｃｍを越える場合は不合格となる。
このように、この柔道衣サイズ規程測定器１を用いれば、柔道衣が国際柔道連盟の定めた袖の規程サイズに適合するか否か簡単に判別することができる。
【００１９】
次に柔道衣の襟サイズ規程の判別は、柔道衣サイズ規程測定器１の下部部材１４の襟部測定部１６のスリットを競技者の柔道衣の襟に嵌め込んでみて、嵌め込めなければ襟が１ｃｍ以上あり厚すぎて規程サイズに適合しないことがわかる。また、嵌め込めた場合に、上下にスライドさせてみて、引っかからなければ適合することになる。引っかかるところがあれば、厚すぎる部分があるので適合しないことがわかる。また、襟部測定部１６のコ字状に形成されたそのスリットの奥行きが５ｃｍなので、襟の縁を隙間の奥に当てて襟の他の縁がコ字状の先端よりはみ出しているときは、襟幅が広すぎることになり規程サイズの適合しないことが簡単に判別する。
【００２０】
次に、柔道衣パンツが規程値に合致するか否かの測定であるが、先ず柔道衣パンツの裾丈であるが、柔道衣サイズ規程測定器１の下部部材１４の先端近傍に形成された基準穴１４ｃを競技者の足の踝に嵌合させてパンツの裾までの距離を測る。その距離が５ｃｍ以下であれば裾丈は規程サイズに入り合格となり、５ｃｍを越える場合は不合格となる。
さらに、柔道衣パンツの太さについては、競技者のふくらはぎのところは隙間がないように抓んで、その部分をパンツ幅測定部１８のスリットに挟んでみる。スリットの奥まで達しないときには規程に合格していないとする。太もものところも同様にして行う。
【産業上の利用可能性】
【００２１】
本考案に係る柔道衣サイズ規程測定器は、国際柔道連盟試合審判規程に対応したサイズ規程測定器であるが、寸法を変えることにより、国内柔道の柔道衣サイズ規程にも利用することが可能である。
【図面の簡単な説明】
【００２２】
【図１】本考案に係る柔道衣サイズ規程測定器の実施の形態を示し、（ａ）は正面図、（ｂ）は平面図、（ｃ）は（ａ）のＡ−Ａ線端面図である。
【図２】競技者の柔道衣の袖から柔道衣サイズ規程測定器を差し込んだ状態の断面図である。
【図３】柔道衣の袖の長さ規程を説明するための図である。
【図４】柔道衣の襟の幅規程を説明するための図である。
【図５】柔道衣の袖口の大きさの規程を説明するための図である。
【図６】柔道衣パンツの裾丈規程を説明するための図である。
【符号の説明】
【００２３】
１０    柔道衣サイズ規程測定器
１２    上部部材
１４    下部部材
１４ｃ  基準穴
１６    襟部測定部
１８    パンツ幅測定部
【図１】
0003139604.tif 000003
【図２】
0003139604.tif 000004
【図３】
0003139604.tif 000005
【図４】
0003139604.tif 000006
【図５】
0003139604.tif 000007
【図６】
0003139604.tif 000008